(57)【要約】      （修正有）【課題】従来よりも少ない工数で製造でき、かつ、ペットにとって着心地のよいペット用ベストタイプハーネスを提供する。【解決手段】ペット用ベストタイプハーネス１０は、ペット５の首下から胸部を覆い、２本の前足を挿入する２つの穴１２を有し、ペットの背中部で連結される両端部を有するベスト１１と、ベストの両端部に設けられ、両端部を連結するバックル２０と、両端部それぞれの先端に取り付けられた２つのリング２１ａ及び２１ｂとを備える。ベストは、ペットの胸部に対応する位置で縫い合わされた２つの胴部用生地で構成され、胴部用生地は、ペットの胸部に対応する位置で、外方に湾曲して突出するように立体的に縫い合わされている。【選択図】図１
0003212070.tif 000002
【実用新案登録請求の範囲】
【請求項１】
ペットに装着するベストタイプのハーネスであって、
ペットの首下から胸部を覆い、２本の前足を挿入する２つの穴を有し、ペットの背中部で連結される両端部を有するベストと、
前記両端部に設けられ、前記両端部を連結するバックルと、
前記両端部それぞれの先端に取り付けられた２つのリングとを備え、
前記ベストは、ペットの胸部に対応する位置で縫い合わされた２つの胴部用生地で構成され、
前記２つの胴部用生地は、ペットの胸部に対応する位置で、外方に湾曲して突出するように立体的に縫い合わされている
ペット用ベストタイプハーネス。
【請求項２】
前記２つの胴部用生地は、ペットの胸部に対応する位置で、前記２つの胴部用生地と同じ素材の別の補強用生地をあてて縫製することで、縫い合わされている
請求項１記載のペット用ベストタイプハーネス。
【請求項３】
さらに、前記両端部の一方の表面に縫製された装飾用リボンを備え、
前記リングは、前記両端部それぞれの先端に第１取り付け用生地を介して取り付けられ、
前記バックルは、前記両端部それぞれの裏面に第２取り付け用生地を介して取り付けられ、
前記２つの胴部用生地、前記装飾用リボン、前記第１取り付け用生地、及び、前記第２取り付け用生地は、同一の素材からなる
請求項１又は２記載のペット用ベストタイプハーネス。
【請求項４】
前記素材は、スエード調人工皮革である
請求項３記載のペット用ベストタイプハーネス。
【考案の詳細な説明】
【技術分野】
【０００１】
本考案は、犬、猫等のペット用ベストタイプハーネスに関する。
【背景技術】
【０００２】
従来、ペット用ベストタイプハーネスとして、様々なものが考案されている（例えば、特許文献１参照）。
【０００３】
特許文献１に開示された、ペットに装着するベストタイプのハーネスは、２本の前足を挿入する穴と背中部に開閉部を接続する接続具とを備えたベストと、少なくとも一部がベスト内部に一体化され、接続具の両外側から、ベストとは離れて配置されるベルトとを備え、ベストと離れて配置されるベルトは、連結具によって接続されている。
【０００４】
これにより、ペットを柔らかく包み、リード（引き紐）を外しても、ハーネスの接続具が外れた場合でもハーネスが外れない構造であり、散歩に使うにも便利なペット用ベストタイプハーネスが提供されるというものである。
【先行技術文献】
【特許文献】
【０００５】
【特許文献１】特開２００９−２３２８３４号公報
【考案の概要】
【考案が解決しようとする課題】
【０００６】
しかしながら、特許文献１のペット用ベストタイプハーネスでは、ベストは、表地と裏地とが縫製される必要があり、製造工数を要するという問題がある。また、リードでペット用ベストタイプハーネスが後方に引っ張られたときに、ベストの前面によってペットの胸部が圧迫され、ペットにとって着心地がよいものとは言い難いという問題もある。
【０００７】
そこで、本考案は、従来よりも少ない工数で製造でき、かつ、ペットにとって着心地のよいペット用ベストタイプハーネスを提供することを目的とする。
【課題を解決するための手段】
【０００８】
上記目的を達成するために、本考案の一形態に係るペット用ベストタイプハーネスは、ペットの首下から胸部を覆い、２本の前足を挿入する穴を有し、ペットの背中部で連結される両端部を有するベストと、前記両端部に設けられ、前記両端部を連結するバックルと、前記両端部それぞれの先端に取り付けられた２つのリングとを備え、前記ベストは、ペットの胸部に対応する位置で縫い合わされた２つの胴部用生地で構成され、前記２つの胴部用生地は、ペットの胸部に対応する位置で、外方に湾曲して突出するように縫い合わされている。
【０００９】
これにより、ベストは、２つの胴部用生地を縫い合わせることで製造できるので、従来のように表地と裏地とを縫製する必要がなく、従来よりも少ない工数で製造できる。
【００１０】
また、２つの胴部用生地は、ペットの胸部に対応する位置で、外方に湾曲して突出するように立体的に縫い合わさるので、リードによってペット用ベストタイプハーネスが後方に引っ張られたときであっても、ベストの前面によってペットの胸部が圧迫されることが抑制され、ペットにとって着心地のよいものとなる。
【考案の効果】
【００１１】
本考案により、従来よりも少ない工数で製造でき、かつ、ペットにとって着心地のよいペット用ベストタイプハーネスが提供される。
【００１２】
よって、ペットブームが到来している昨今において、本考案の実用的価値は極めて高い。
【図面の簡単な説明】
【００１３】
【図１】実施の形態に係るペット用ベストタイプハーネスをペットに装着した状態を示す図
【図２】図１に示されたペット用ベストタイプハーネスの一部（ペットの背中部に位置する箇所）を拡大した図
【図３】図１に示されたペット用ベストタイプハーネスを広げた状態（表面）を示す図
【図４】図１に示されたペット用ベストタイプハーネスを広げた状態（裏面）を示す図
【考案を実施するための形態】
【００１４】
以下、本考案の実施の形態について、図面を用いて詳細に説明する。なお、以下で説明する実施の形態は、いずれも本考案の一具体例を示すものである。以下の実施の形態で示される数値、形状、材料、構成要素、構成要素の配置位置及び接続形態、方法の順序等は、一例であり、本考案を限定する主旨ではない。また、以下の実施の形態における構成要素のうち、本考案の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１５】
図１は、実施の形態に係るペット用ベストタイプハーネス１０をペット５に装着した状態を示す図である。図２は、図１に示されたペット用ベストタイプハーネス１０の一部（ペット５の背中部に位置する箇所）を拡大した図である。図３は、図１に示されたペット用ベストタイプハーネス１０を広げた状態（表面）を示す図である。
【００１６】
ペット５は、犬、猫等であり、例えば、小型犬である。
【００１７】
ペット用ベストタイプハーネス１０は、ペット５に装着するベストタイプのハーネスであって、主要な構成要素として、ベスト１１と、バックル２０と、リング２１とを備える。
【００１８】
ベスト１１は、ペット５の首下から胸部を覆い、２本の前足を挿入する２つの穴１２（１２ａ及び１２ｂ）を有し、ペット５の背中部で連結される両端部１５ａ及び１５ｂを有する。ベスト１１の生地は、織物、不織布、革、人工皮革、又は、これらの組み合わせのいずれであってもよいが、好ましくは、スエード調人工皮革であり、例えば、ウルトラスエード（登録商標）である。ベスト１１の生地として、スエード調人工皮革を採用することで、ペット５をソフトに覆うことができるとともに、見栄えにおいて、あたたかみ及び高級感が発揮され、さらに、洗濯が可能であり、色あせもほとんどないペット用ベストタイプハーネス１０が実現される。
【００１９】
このベスト１１は、図３に示されるように、ペット５の胸部に対応する位置で縫い合わされた２つの胴部用生地１１ａ及び１１ｂで構成される。２つの胴部用生地１１ａ及び１１ｂは、ペット５の胸部に対応する位置で、外方に湾曲して突出するように立体的に縫い合わされている。２つの胴部用生地１１ａ及び１１ｂが縫い合わされた箇所である尾根において、中央部が最も突出しており、その中央部は、２つの胴部用生地１１ａ及び１１ｂの他の平坦な箇所から、少なくとも１ｃｍ、典型的には、ペット用ベストタイプハーネス１０全体のサイズに応じて、１〜４ｃｍ程度、突出する。なお、２つの胴部用生地１１ａ及び１１ｂの外形は、同一形状であり、端部に向けて徐々に幅狭となる略三角形状であり、三角形状の底辺に対応する箇所で互いに縫い合わされている。
【００２０】
このように、ベスト１１は、２つの胴部用生地１１ａ及び１１ｂを縫い合わせることで製造できるので、従来のように表地と裏地とを縫製する必要がなく、従来よりも少ない工数で製造できる。また、２つの胴部用生地１１ａ及び１１ｂは、ペット５の胸部に対応する位置で、外方に湾曲して突出するように立体的に縫い合わされているので、リードでペット用ベストタイプハーネス１０が後方に引っ張られたときであっても、ベスト１１の前面によってペットの胸部が圧迫されることが抑制され、ペットにとって着心地のよいものとなる。
【００２１】
バックル２０（オス部材２０ａ及びメス部材２０ｂ）は、ベスト１１の両端部１５ａ及び１５ｂに設けられ、ベスト１１の両端部１５ａ及び１５ｂを連結する着脱可能な留め具である。ここでは、バックル２０は、ベスト１１の一方の端部１５ａに取り付けられた樹脂製のオス部材２０ａと、ベスト１１の他方の端部１５ｂに取り付けられた樹脂製のメス部材２０ｂとで構成される。
【００２２】
リング２１（２１ａ及び２１ｂ）は、それぞれ、ベスト１１の両端部１５ａ及び１５ｂの先端に取り付けられた円環状金具であり、リードの先端に取り付けられたナスカン等と連結される。
【００２３】
なお、本実施の形態に係るペット用ベストタイプハーネス１０には、任意に付加される装飾品として、装飾用リボン１３及びクリスタル１４が取り付けられている。
【００２４】
装飾用リボン１３は、ベスト１１の両端部１５ａ及び１５ｂの一方（ここでは、端部１５ｂ）の表面に縫製されている。装飾用リボン１３の生地は、織物、不織布、革、人工皮革、又は、これらの組み合わせのいずれであってもよいが、好ましくは、ベスト１１と同一の素材が用いられる。クリスタル１４は、クリスタルガラスであり、例えば、スワロフスキー（登録商標）クリスタルである。装飾用リボン１３及びクリスタル１４によって、ペット５を、かわいらしく着飾ることができる。
【００２５】
図４は、図１に示されたペット用ベストタイプハーネス１０を広げた状態（裏面）を示す図である。
【００２６】
本図に示されるように、２つの胴部用生地１１ａ及び１１ｂは、ペット５の胸部に対応する位置で、２つの胴部用生地１１ａ及び１１ｂと同じ素材の別の補強用生地２５をあてて縫製することで、縫い合わされている。これにより、ベスト１１の強度が増し、かつ、ペット５の胸部に対応するベストの箇所がより立体的になる。なお、補強用生地２５の外形は、２つの胴部用生地１１ａ及び１１ｂが縫い合わされる箇所に沿った長尺形状を有し、その縫い合わせ箇所において２つの胴部用生地１１ａ及び１１ｂが折り返される片を覆い隠す程度の幅を有する。
【００２７】
リング２１ａ及び２１ｂは、それぞれ、ベスト１１の端部１５ａ及び１５ｂの先端に、第１取り付け用生地２６ａ及び２６ｂを介して取り付けられている。第１取り付け用生地２６ａ及び２６ｂは、例えば、ベスト１１の先端を、リング２１ａ及び２１ｂを貫通させて折り返した生地であり、ベスト１１の両端部１５ａ及び１５ｂの裏面に縫製される。
【００２８】
バックル２０のオス部材２０ａ及びメス部材２０ｂは、それぞれ、ベスト１１の端部１５ａ及び１５ｂの裏面に、第２取り付け用生地２７ａ及び２７ｂを介して取り付けられている。第２取り付け用生地２７ａ及び２７ｂは、それぞれ、バックルのオス部材２０ａ及びメス部材２０ｂの貫通孔を通る状態で、ベスト１１の両端部１５ａ及び１５ｂの裏面に縫製される。
【００２９】
ここで、補強用生地２５、第１取り付け用生地２６ａ及び２６ｂ、第２取り付け用生地２７ａ及び２７ｂの素材は、織物、不織布、革、人工皮革、又は、これらの組み合わせのいずれであってもよいが、好ましくは、ベスト１１と同一の素材が用いられる。これにより、ペット５を覆うあらゆる箇所が同一の素材からなる生地が用いられるので、ペット５にとっての着心地のよさが確保されるとともに、見栄えの美しさも確保される。
【００３０】
以上のように構成される本実施の形態に係るペット用ベストタイプハーネス１０は、簡単な方法で、ペット５に装着することができる。つまり、ペット５に装着するときは、バックル２０を外した状態で、ペット５の前足のそれぞれをベスト１１の２つの穴１２ａ及び１２ｂに通した後に、バックル２０を留める。これによって、ペット５への装着が完了する。ペット用ベストタイプハーネス１０にリードを連結するときには、リードの先端にあるナスカンを、ペット用ベストタイプハーネス１０の２つのリング２１ａ及び２１ｂに取り付ける。
【００３１】
このように、本実施の形態に係るペット用ベストタイプハーネス１０は、ペット５に装着するベストタイプのハーネスであって、ペット５の首下から胸部を覆い、２本の前足を挿入する２つの穴１２ａ及び１２ｂを有し、ペット５の背中部で連結される両端部１５ａ及び１５ｂを有するベスト１１と、両端部１５ａ及び１５ｂに設けられ、両端部１５ａ及び１５ｂを連結するバックル２０と、両端部１５ａ及び１５ｂそれぞれの先端に取り付けられた２つのリング２１ａ及び２１ｂとを備える。そして、ベスト１１は、ペット５の胸部に対応する位置で縫い合わされた２つの胴部用生地１１ａ及び１１ｂで構成され、２つの胴部用生地１１ａ及び１１ｂは、ペット５の胸部に対応する位置で、外方に湾曲して突出するように立体的に縫い合わされている。
【００３２】
これにより、ベスト１１は、２つの胴部用生地１１ａ及び１１ｂを縫い合わせることで製造できるので、従来のように表地と裏地とを縫製する必要がなく、従来よりも少ない工数で製造できる。また、２つの胴部用生地１１ａ及び１１ｂは、ペット５の胸部に対応する位置で、外方に湾曲して突出するように立体的に縫い合わされているので、リードでペット用ベストタイプハーネス１０が後方に引っ張られたときであっても、ベスト１１の前面によってペットの胸部が圧迫されることが抑制され、ペットにとって着心地のよいものとなる。
【００３３】
また、２つの胴部用生地１１ａ及び１１ｂは、ペット５の胸部に対応する位置で、２つの胴部用生地１１ａ及び１１ｂと同じ素材の別の補強用生地２５をあてて縫製することで、縫い合わされている。これにより、ベスト１１の強度が増し、かつ、ペット５の胸部に対応するベストの箇所がより立体的になる。
【００３４】
また、ペット用ベストタイプハーネス１０は、さらに、両端部１５ａ及び１５ｂの一方の表面に縫製された装飾用リボン１３を備え、リング２１ａ及び２１ｂは、それぞれ、ベスト１１の端部１５ａ及び１５ｂの先端に、第１取り付け用生地２６ａ及び２６ｂを介して取り付けられ、バックル２０のオス部材２０ａ及びメス部材２０ｂは、それぞれ、ベスト１１の端部１５ａ及び１５ｂの裏面に、第２取り付け用生地２７ａ及び２７ｂを介して取り付けられている。そして、２つの胴部用生地１１ａ及び１１ｂと、補強用生地２５と、第１取り付け用生地２６ａ及び２６ｂと、第２取り付け用生地２７ａ及び２７ｂと、装飾用リボン１３とは、同一の素材からなってもよい。
【００３５】
これにより、ペット５を覆うあらゆる箇所が同一の素材からなる生地が用いられるので、ペット５にとっての着心地のよさが確保されるとともに、見栄えの美しさも確保される。
【００３６】
また、上記同一の素材は、スエード調人工皮革であってもよい。これにより、ペット５をソフトに覆うことができるとともに、見栄えにおいて、あたたかみ及び高級感が発揮され、さらに、洗濯が可能であり、色あせもほとんどないペット用ベストタイプハーネス１０が実現される。
【００３７】
以上、本考案のペット用ベストタイプハーネス１０について、実施の形態に基づいて説明したが、本考案は、この実施の形態に限定されるものではない。本考案の主旨を逸脱しない限り、当業者が思いつく各種変形を本実施の形態に施したものや、実施の形態における一部の構成要素を組み合わせて構築される別の形態も、本考案の範囲内に含まれる。
【産業上の利用可能性】
【００３８】
本考案は、犬、猫等のペット用のベストタイプハーネスとして、特に、従来よりも少ない工数で製造でき、かつ、ペットにとって着心地のよいペット用ベストタイプハーネスとして、利用できる。
【符号の説明】
【００３９】
５  ペット
１０  ペット用ベストタイプハーネス
１１  ベスト
１１ａ、１１ｂ  胴部用生地
１２、１２ａ、１２ｂ  穴
１３  装飾用リボン
１４  クリスタル
１５ａ、１５ｂ  端部
２０  バックル
２０ａ  オス部材
２０ｂ  メス部材
２１、２１ａ、２１ｂ  リング
２５  補強用生地
２６ａ、２６ｂ  第１取り付け用生地
２７ａ、２７ｂ  第２取り付け用生地
【図１】
0003212070.tif 000003
【図２】
0003212070.tif 000004
【図３】
0003212070.tif 000005
【図４】
0003212070.tif 000006